(57)【要約】  定量吐出装置は、先端部側に上向き凹所状の嵌合部２を有すると共に後端部側に少なくとも駆動部６が配設された支持台１と、ホッパー本体１１は回転羽２１を内装していると共に、その底部に連設形成された定量手段の固定外弁４０が上向き凹所状の嵌合部に嵌合するように該支持台に嵌着自在に載置されるホッパーＹとを備え、駆動部を備えた支持台に定量手段を有するホッパーを簡単に嵌脱自在に載置することができる。特に、ホッパーを極めて簡単かつ確実に支持台にセットすることができる。
2010032324.tif 000002
【特許請求の範囲】
【請求項１】
先端部側に上向き凹所状の嵌合部を有すると共に後端部側に少なくとも駆動部が配設された支持台と、ホッパー本体は回転羽を内装していると共に、その底部に連設形成された定量手段の固定外弁が上向き凹所状の嵌合部に嵌合するように該支持台に嵌着自在に載置されるホッパーとを備える定量吐出装置。
【請求項２】
請求項１に於いて、ホッパーは、一側壁に回転羽の軸端部に連設する連結軸を有する動力連結手段を備え、一方、駆動部側は、前記回転羽用の駆動モータの駆動力を前記連結軸に伝える動力接続手段７を備え、ホッパーの嵌着時、前記連結軸は前記動力接続手段７の係合端部に係合することを特徴とする定量吐出装置。
【請求項３】
請求項１に於いて、回転羽は複数であり、これらの回転羽は、ホッパー本体内の流動体を左右の羽本体の間に掻き寄せるように併設されていることを特徴とする定量吐出装置。
【請求項４】
請求項１に於いて、ホッパー本体は、把手部を有する手鍋型であると共に、その底部に嵌合部の上面に支持される左右一対の突片を有することを特徴とする定量吐出装置。
【請求項５】
請求項１に於いて、定量手段は、固定外弁を回動する内弁内に嵌挿されかつ後端部に係合部分を有する押し出し棒を備え、一方、駆動部側は、駆動作動杆の先端部に設けられかつ前記係合部分と係合可能な連結支持具を有し、ホッパーの嵌着時、ホッパー側の押し出し棒の係合部分は、駆動部側の連結支持具に係合することを特徴とする定量吐出装置。
【発明の詳細な説明】
【技術分野】
【０００１】
本発明は、ポテトサラダ、おから、煮物等の加工食品や化粧用クリーム、ペースト状歯磨、塗料などの流動体（半流動体も含む）を容器に定量的に吐出することができる定量吐出装置に関する。
【背景技術】
【０００２】
特許文献１には、「食品の定量手段と定量された食品のほぐし手段とを備え、また、ほぐし手段が回転羽根と該回転羽根を回転させる駆動機構を備え、さらに、定量手段から排出され落下してくる食品を、ほぐし手段の回転する回転羽根によりほぐし、食品をふんわりと充填しうるように構成されていることを特徴とする定量ソフト充填装置」が開示されている。【０００３】
しかし、この定量ソフト充填装置の目的は、ポテトサラダを含む惣菜をほぐし手段を介して「ふんわりと盛り付け」をすることであり、本発明のように、駆動部を備えた支持台に定量手段を有するホッパーを嵌脱自在に載置することを目的とするものではない。また、この定量ソフト充填装置は、装置全体のコンパクト化を図ることを目的としていない。さらに、ホッパー本体に投入した流動体を効率良く定量手段（外弁、内弁、押し出し棒）側に送り込むことも目的としていない。【０００４】
したがって、この定量ソフト充填装置は、搬送手段として横に配設したスクリューコンベアを用い、かつ該スクリューコンベアの先端部にホッパー本体とは別体の定量手段を配設している。それ故に、定量ソフト充填装置の組み合わせや設置スペースに改良すべき問題点がある。【０００５】
特許文献２に記載の発明は、本願の発明者が提案し、かつ出願人が既に実施化している。この発明はスープ類のサーバとして多くの利点を有する。例えばサーバのフレーム或いは支持台に予めセットした定量手段の仕切り弁本体（外弁）に、該仕切り弁本体とは別体のホッパーが着脱し得るように支持台に嵌め込むことができることである。【０００６】
しかしながら、この発明は、定量手段及びホッパー本体を支持台に同時（いわば瞬時）に嵌脱させることができないとい問題点がある。また、ホッパー本体内の回転羽は、流動体を単に攪拌するに過ぎない。したがって、該発明も上記特許文献１と同様に改良すべき問題点があった。【０００７】
なお、特許文献３には、ホッパー本体、回転羽、定量手段及び定量手段用の駆動源に関する事項が記載されているが、特許文献３のホッパー本体内の回転羽は、流動体を単に攪拌するに過ぎない。また、特許文献４には、本願発明の構成に関係する事項(駆動部側の駆動作動杆の先端部に設けられ、かつ定量手段を構成する押し出し棒の係合部分と係合可能な連結支持具等)が具体的に開示されている。
【特許文献１】特開２００７−５５６４０号公報
【特許文献２】特開２００２−３３７９９７号公報
【特許文献３】特開２００２−１１２７４２号公報
【特許文献４】特開２００７−７５０５号公報
【発明の開示】
【発明が解決しようとする課題】
【０００８】
本発明の第１の目的は、駆動部を備えた支持台に定量手段を有するホッパーを簡単かつ確実に嵌脱自在に載置することができることである。第２の目的は、装置全体のコンパクト化を図り、設置スペースを節約することができることである。第３の目的は、ホッパー本体に投入した流動体を効率良く定量手段（外弁と内弁と押し出し棒）側に送り込むことができることである。第４の目的は、ホッパーの嵌着時、ホッパー側に設けた回転羽や定量手段の押し出し棒が容易に駆動部側の動力接続手段に接続可能であることである。
【課題を解決するための手段】
【０００９】
本発明の定量吐出装置は、先端部側に上向き凹所状の嵌合部を有すると共に後端部側に少なくとも駆動部が配設された支持台と、ホッパー本体は回転羽を内装していると共に、その底部に連設形成された定量手段の固定外弁が上向き凹所状の嵌合部に嵌合するように該支持台に嵌着自在に載置されるホッパーとを備える。【００１０】
上記構成に於いて、ホッパーは、一側壁に回転羽の軸端部に連設する連結軸を有する動力連結手段を備え、一方、駆動部側は、前記回転羽用の駆動モータの駆動力を前記連結軸に伝える動力接続手段を備え、ホッパーの嵌着時、前記連結軸は前記動力接続手段の水平軸に係合する（請求項２）。また、回転羽は複数であり、これらの回転羽は、ホッパー本体内の流動体を左右の羽本体の間に掻き寄せるように併設されている（請求項３）。【００１１】
さらに、ホッパー本体は、把手部を有する手鍋型であると共に、その底部に嵌合部の上面に支持される左右一対の突片を有することを特徴とする（請求項４）。加えて、定量手段は、固定外弁を回動する内弁内に嵌挿されかつ後端部に係合部分を有する押し出し棒を備え、一方、駆動部側は、駆動作動杆の先端部に設けられかつ前記係合部分と係合可能な連結支持具を有し、ホッパーの嵌着時、ホッパー側の押し出し棒の係合部分は、駆動部側の連結支持具に係合する（請求項５）。【００１２】
ここで、「流動体」には具入り流動体、半流動体、具入り半流動体、これに類似の押し出し可能で、かつ特定の形状を有しない有体物が含まれる。
【発明の効果】
【００１３】
（１）駆動部を備えた支持台に定量手段を有するホッパーを簡単に嵌脱自在に載置することができる。特に、請求項５に記載の発明は、ホッパーは手鍋形式であると共に左右一対の突片を有することから、極めて簡単かつ確実に支持台にセットすることができる。
（２）ホッパー本体の底部に定量手段（外弁、内弁、押し出し棒）を備えているので、定量手段の取り扱いや管理が容易である。また、支持台は先端部側に上向き凹所状の嵌合部を有すると共に、後端部側に少なくとも駆動部が配設され、前記上向き凹所状の嵌合部にホッパー本体の横長パイプ状の定量手段が嵌合するので、装置全体のコンパクト化を図ることができる。したがって、設置スペースを節約することができる。
（３）ホッパー本体は、底部側に併設状態の回転羽を備えているので、ホッパー本体に投入した流動体を効率良く定量手段側に送り込むことができる。特に、回転羽は流動体を掻き込む或いは引きずり込むように回転可能なので、具入りの半流動体、これに類似の押し出し可能で、かつ特定の形状を有しない有体物を定量手段側に極めて有効に送り込むことができる。
（４）ホッパーの嵌着時、ホッパーに設けた回転羽や定量手段の押し出し棒が容易に駆動部側の動力接続手段に接続可能である。
【図面の簡単な説明】
【００１４】
図１乃至図１７は本発明の最良の実施例を示す各説明図。
【図１】本発明の実施の環境を示す概略説明図。
【図２】図１に於いて、駆動部側の構成部材の一部を示す概略説明図。
【図３】ホッパーＹの右側からの概略説明図。
【図４】ホッパーＹと支持台１の嵌合部２との着脱関係を示す斜視図。
【図５】ホッパーＹの正面からの斜視図。
【図６】ホッパーＹの背面からの斜視図。
【図７】要部（回転羽と操作手段）の説明図。
【図８】回転羽の一例を示す説明図。
【図９】回転羽と定量手段との位置関係を示す概略説明図。
【図１０】要部（操作手段と回転羽と動力連結手段等）の概略説明図。
【図１１】定量手段の概略説明図（止めリングも含む）。
【図１２】定量手段の分解説明図。
【図１３】図１３（ａ）は内弁が流動体を受け入れる位置、図１３（ｂ）は内弁が所定量回転して流動体を吐出する位置をそれぞれ示す概略説明図。
【図１４】動力接続部材７の一例を示す説明図。
【図１５】動力伝達手段５５側の連結支持具８と伝動筒体９のが概略説明図。
【図１６】連結支持具８の説明図。
【図１７】連結支持具８と押し出し棒との係合関係を示す説明図。
【符号の説明】
【００１５】
Ｘ…定量吐出装置、Ｙ…ホッパー、１…支持台、２…嵌合部、３…ケース、４…制御部、５…操作部、６…駆動部、７…動力接続部材、８…連結支持具、９…伝動筒体、１１…ホッパー本体、１１ａ…前壁、１１ｂ…後壁、１１ｃ…左右の側壁、１２…把手部、１３…突片、１４…蓋体、１５…操作手段、１６（１６ａ、１６ｂ）…従動歯車、１７…動力連結手段、２１…回転羽、２２…軸、２３…羽本体、２５…嵌合筒、２６…固定筒、２７…操作杆、２８…バネ部材、３１…案内筒、３２…連結軸、３３…連結軸用付勢バネ、４０…固定外弁、４１…出口、４２…螺合部、４３…ノズル、４４…開口（端面開口）、４５…固定外弁の切欠部（上部開口）、４６…内弁、４７…吐出口、４８…内弁の切欠部（上部開口）、５１…押し出し棒、５２…ピストン部、５３…後端部、５３ａ…係合部分、５５…内弁用の動力伝達手段（簡略図）、５６…内弁用の駆動モータ（簡略図）、６０…回転羽用の動力伝達手段、６１…回転羽用の駆動モータ、６２…第１支持板、６３…固定筒、６４…ガイド筒、６５…接続軸、６５ａ…係合端部、６７…従動歯車、７５…第２支持板、７６…弾発性部材、７０…バネ部材、８３…環状の止めリング。
【発明を実施するための最良の形態】
【００１６】
以下、図１乃至図１７に示す本発明を実施するための最良の形態により説明する。【００１７】
（１）発明の実施の環境
図１及び図２は発明の実施の環境を示す概略説明図である。図１及び図２に於いて、Ｘは、流動体の一例である加工食品を容器に定量的に吐出する定量吐出装置を示す。この定量吐出装置Ｘは、大きく区分けすると、先端部側の上面に凹所状の嵌合部２を有する支持台１と、この支持台１の後端部側の上面に取り外し可能に設けられ、かつ図示しない駆動部を内装するケース３と、このケース３の後端部側に設けられた制御部４と、この制御部４と電気的に接続し、かつ制御部４の後端部側に配設されたスイッチを有する操作部５と、前記凹所状嵌合部２に着脱自在に載置され、かつケース３内に配設した図示しない駆動部からの駆動力を伝達する動力伝達手段と係脱可能なホッパーＹとから成る。【００１８】
（２）定量吐出装置Ｘ−本発明の特徴部分
本発明の定量吐出装置Ｘは、先端部側に上向き凹所状の嵌合部２を有すると共に後端部側に少なくとも駆動部６が配設された支持台１と、ホッパー本体１１は回転羽２１を内装していると共に、その底部に連設形成された定量手段の固定外弁４０が上向き凹所状の嵌合部２に嵌合するように該支持台１に嵌着自在に載置されるホッパーＹとを備える（特許請求の範囲の請求項１）。以下、本発明の特定要件について順次説明するが、内弁用のシール部材、内弁用の駆動モータ、クランク機構等の細部的な事項は図面及びその説明を割愛する。【００１９】
（３）ホッパーと支持台との関係
図２は、特に、支持台１から取り外し可能なケース３内に配設され、かつホッパーＹ側の回転羽用動力連結手段並びにホッパーＹ側の内弁４６・押し出し棒５１とそれぞれ係脱する駆動部６側の構成部材を概略的に示している。【００２０】
また、図３は、ホッパーＹの固定外弁４０にノズル４３が螺合自在に螺着すること及び固定外弁４０を回動する内弁４６・内弁内を往復動する押し出し棒５１に駆動部側の駆動モータ５６の駆動力が動力伝達手段５５を介して伝えられる旨を示している。そして、図４はホッパーＹと定量吐出装置Ｘ側の支持台１との着脱関係を示す。【００２１】
まず、図４を参照にしてホッパーＹの構造から説明する。図４で示すように、両手鍋式のホッパーＹは、ホッパー本体１１の左右側壁に設けられた把手部１２を介して上方に持ち上げられると、ホッパー本体１１の底部に突出状態に連設形成されたパイプ状の固定外弁４０が支持台１の凹所状嵌合部２からスッポリと抜け、一方、前記底部外壁に設けた左右突片１３を凹所状嵌合部２の左右上面２ａに載せると、前記固定外弁４０が凹所状嵌合部２のＵ字形状の嵌合凹所２ｂにスッポリと嵌り込む。したがって、ホッパー本体１１は支持台１の凹所状嵌合部２に着脱自在に嵌合する。【００２２】
そして、ホッパー本体１１は、その固定外弁４０が支持台１の嵌合部２に嵌合した時に於いて、手でもって前壁１１ａ側から駆動部６側へ押し込むと、左右一対の突片１３が前記嵌合部２の左右の上面２ａをスライドする。【００２３】
（４）ホッパー本体１１
ホッパー本体１１は、不番の上端開口と底部開口を有する。前記上端開口は中央部に摘みを有する蓋体１４により開閉する。つまり、ホッパー本体１１の上端には蓋体１４が自在に冠着する。ホッパー本体１１の材質は特に問わないが、例えばステンレス製である。また、ホッパー本体１１の形態は特に問わないが、実施例のように上端開口から底部開口に至るまで、やや深さのあるケース体であることが望まれる。【００２４】
ここで、ホッパー本体１１の側壁に便宜上符号を付す。１１ａは前壁、１１ｂは後壁、１１ｃは左右の側壁である。前記前壁１１ａはホッパー本体１１の一側壁に相当し、この一側壁１１ａの底部寄りの部位には、図６で示す回転羽２１の軸端と嵌合する軸支承部材の支承関係を解く操作手段１５が複数個設けられている。【００２５】
図５で示すように、操作手段１５の数は、回転羽２１のそれに対応している。この操作手段１５の数に関して、実施例では、回転羽２１がホッパー本体１１内の底部側に取り外し可能に２個水平状態に併設されていることから、前壁１１ａの底部寄りの部位に２個水平状態に併設されている。【００２６】
一方、図６で示すように、前壁１１ａと対向する後壁１１ｂには、一対の従動歯車１６が一方の従動歯車１６ａ側に設けられた動力連結手段１７を介して左右に配設されている。左右一対の従動歯車１６は、例えば２個であり、これらの従動歯車１６（１６ａ、１６ｂ）は互いに噛合している。また、動力連結手段１７は回転羽２１の軸部２２の後端（例えば角軸部）に係合する連結軸（作動軸）３２を含み、駆動部からの駆動力を受ける。動力連結手段１７の構成については後述する。【００２７】
さらに、前記左右の側壁１１ｃは、それぞれ船の側壁形状のように底部が斜め方向に折り曲げ形成され、前述したように上部側には左右一対の把手部１２が突設され、また底部側には左右一対の突片１３が設けられている。そして、前記底部開口に横長の切欠部が臨むように外弁、内弁等が設けられている。【００２８】
（５）回転羽２１
回転羽２１は、図９で示すように、ホッパー本体１１内の底部側に水平方向に隣り合うように併設されている。すなわち、本実施例では、加工食品が比較的粘性の高い物も含まれることを考慮して、複数（例えば２個）の回転羽２１を隣り合うように左右に配設している。【００２９】
しかして、回転羽２１は、図８で示すように、軸２２と、該軸２２から放射状に延在する複数枚の長板状の羽本体２３とから成り、隣り合う左右の回転羽２１は、互いの羽本体２３、２３の長手方向の端部（縁部）が若干重なり合うようにセットされ、しかも、ホッパー本体１１内のポテトサラダ、おから、煮物、カレー、スープ類等加工食品や化粧用クリーム、ペースト状歯磨、塗料などの流動体（半流動体、具入り流動体、具入り半流動体も含む）を左右の羽本体２３、２３の間（ホッパー本体の底部内中央部）に掻き寄せるように回転可能である。【００３０】
（６）操作手段１５
また、回転羽２１はホッパー本体１１の前壁１１ａから突出する操作手段１５並びに後壁１１ｂ側の動力連結手段１７を介して取り外し可能に軸支されている。図１０を参照にして、操作手段１５及び動力連結手段１７の構成を説明する。【００３１】
まず、前壁１１ａ側の操作手段１５は、例えばホッパー本体１１の前壁１１ａに水平移動可能に設けられた嵌合筒（嵌合軸）２５を有する。嵌合筒２５は、内端部に回転羽２１の軸２２の円柱状先端部２２ａが嵌入する円形開口の不番の筒状部と、この筒状部の外端部に形成され不番の鍔部とから成る。したがって、嵌合筒２５は、回転羽２１の一端部を支承する軸受け部材である。【００３２】
また、操作手段１５は、例えば前壁１１ａの固定筒２６に設けられた操作杆２７を有している。操作杆２７の挿入先端部は前記嵌合筒２５の鍔部に固定されて、一方、摘み部分２７ａは固定筒２６の垂直外面から水平方向に突出している。さらに、操作手段１５は、固定筒２６に内装されていると共に、操作杆２７に巻装されたバネ部材２８を有している。本実施例では、回転羽２１をホッパー本体１１から取り外す時、操作杆２７の摘み部分２７ａを手前（前壁１１ａの外方向）に引く。そうすると、操作杆２７はバネ部材２８のバネ力に抗して外方向へスライドすることから、嵌合筒２５の筒状部が回転羽２１の一端部２２ａから外れる。【００３３】
（７）動力連結手段１７
ところで、本実施例では、回転羽２１をホッパー本体１１から簡単に取り外すことができるように、動力連結手段１７の方にも工夫を加えている。前述したように、動力連結手段１７は、ホッパー本体１１の後壁１１ｂに配設されている。図１０を参照にして説明すると、符号１６ａは一方の従動歯車である。従動歯車１６ａに噛合する他方の従動歯車１６ｂは水平方向に位置している。【００３４】
本実施例では、一方の従動歯車１６ａは、駆動部６を構成する一つの駆動モータの駆動力を、連結軸３２を介して受け、この駆動力を他方の従動歯車１６ｂに対して伝達する伝動歯車の役割を果している。【００３５】
すなわち、図１０を参照にして、一方の従動歯車１６ａ側の動力連結手段１７の構成を説明すると、３１は後壁１１ｂに回転自在に設けられた案内筒で、この案内筒３１は内周面に軸方向に不番の複数の係合溝を有している。３２は案内筒３１に水平方向に摺動自在に設けられた連結軸で、この連結軸３２の内端係合部３２ａは、案内筒３１の係合溝に係合すると共に、回転羽２１の軸２２の角軸状後端部２２ｂに接触或は係脱可能である。一方、内端係合部３２ａから外方向に延在する外端係合部３２ｂは、簡略図の進退動係合軸を有する回転羽用の動力伝達手段（図１４に示す動力接続部材７も含む）６０に係脱可能である。動力伝達手段６０は簡略図で示した回転羽用の駆動モータ６１の駆動力を、動力接続部材７を介して前記連結軸３２に伝える。【００３６】
ところで、後壁１１ｂ側の動力連結手段１７は、案内筒３１内に連結軸３２を回転羽２１の軸２２に係合する方向に付勢する連結軸用付勢バネ３３を有している。したがって、回転羽２１を操作手段１５の嵌合筒２５及び動力連結手段１７の案内筒３１内に同時に水平状態に嵌合（セット）した状態では、動力連結手段１７の連結軸３２は付勢バネ３３に付勢された状態で回転羽２１の角軸状後端部２２ｂに接触している。そして、動力連結手段１７の案内筒３１には、ピン等の固定手段を介して一方の従動歯車１６ａが固定されている。【００３７】
したがって、本実施例では、制御部４で制御され得る一つの駆動モータ６１の駆動力が動力伝達手段６０の動力接続部材７を介して連結軸３２に伝えられると、連結軸３２と共働回転する案内筒３１及び一方の従動歯車１６ａが同方向に回転し、一方、一つの従動歯車１６ａと直接噛合する他方の従動歯車１６ｂは、一つの従動歯車１６ａとは反対方向に回転する。【００３８】
左右一対の従動歯車１６ａ、１６ｂは、お互いに同時に反対方向に回転するとは言っても、本実施例では、隣り合う左右の回転羽２１は、互いの羽本体２３、２３の端部が若干重なり合うようにセットされ、しかも、ホッパー本体１１内の流動体乃至半流動体を左右の羽本体２３、２３の間に掻き寄せる、或いは引きずり込むように回転可能である。なお、他の従動歯車１６ｂ側の回転羽用の動力連結手段も同様に構成されている。【００３９】
（８）固定外弁４０と回動内弁４６
固定外弁４０は、回転羽２１の下方に位置し、かつホッパー本体１１の底部にパイプ状に連設形成されている。例えば固定外弁４０は定量筒体であり、図９、図１２で示すように、その先端部の先端面の偏心部位（下部中央）に出口４１を有し、この出口４１の一部を形成する筒状の螺合部４２には供給用ノズル４３が螺着自在である。前記ノズル４３は、本実施例では注射針のように先端部が斜めにカットされたパイプ体であるが、大きさや形状は任意に設計変更可能である。また、ノズル４３は前記筒状の螺合部４２に螺合する不番の螺合部を有する限り、異なる形状のノズル４３を選択的に取付けることも可能である。【００４０】
さて、先端部に偏心出口４１を有する横長パイプ状の固定外弁４０は、その後端部に開口（端面開口）４４を有している。また、固定外弁４０は周胴部の上部側に横長の切欠部（上部開口）４５が形成され、この切欠部４５はホッパー本体１１の内部空間と連通し、かつ回転羽２１の下方に位置している。【００４１】
一方、横長筒状の内弁４６は、固定外弁４０に回動自在に組み込まれ、その先端部の先端面の偏心部位（上部中央）に固定外弁４０の出口４１と連通可能な吐出口４７を有する。また、固定外弁４０と同様に周胴部の上部側に横長の切欠部（上部開口）４８を有している。そして、内弁４６内には、押し出し棒５１が嵌挿されている。【００４２】
ところで、本実施例の内弁４６は、その先端部の内周面に偏心吐出口４７に至る傾斜状の誘導面４９を有している（図１１）。誘導面４９は、例えば具入り半流動体をスムースに偏心吐出口４７へと案内する。【００４３】
また、押し出し棒５１は、ピストン部５２に連設し、かつ内弁４６から突出する棒状後端部５３に駆動部からの駆動力を伝達する動力伝達手段（係脱可能な連結支持具８を含む）５５と係脱可能な傘状の係合部分５３ａを有している（図１５乃至図１７）。また、内弁の後端部は前記動力伝達手段５５側の伝動筒体９と係脱可能である。したがって、本実施例のホッパーＹは、定量吐出装置Ｘの動力伝達手段に対しても簡単にセット可能である。【００４４】
（９）定量吐出装置Ｘの駆動部との関係
定量吐出装置Ｘのケース３に内装され、かつ複数個の駆動モータ及びクランク機構を含む動力伝達手段５５を備えた駆動部６の具体的構成は、本発明の限定要件ではないので、その詳細は割愛する（例えば公知の一例として特許公開２００２−１１２７４２号、特開２００７−７５０５号）。【００４５】
ここでは、図２、図３及び図１０を参照にして内弁４６及び押し出し棒５１に対する駆動力に関して簡単に説明する。内弁４６はケース３内の内弁用或は兼用の駆動モータ（簡略図）５６の駆動力及び動力伝達手段（簡略図）５５を介して所定量（例えば１８０度）回転することにより、（ａ）固定外弁４０の一つの切欠部４５に対して内弁４６の一つ切欠部４８が連通し、この時、内弁４６は回転羽２１を介して落下した加工食品等の流動体を受け取り、（ｂ）その後に所定量（例えば１８０度）回転することにより、内弁４６の偏心吐出口４７が固定外弁４０の偏心出口４１に連通し、（ｃ）偏心吐出口４７と偏心出口４１が連通したならば、押し出し棒用の駆動源（例えば前記駆動モータ）５６の駆動力及び動力伝達手段５５を介して内弁４６に嵌挿された押し出し棒５１が所定位置まで前進する。【００４６】
これにより、ノズル４３から所定量の流動体、例えば加工食品が図示しないコップ等の容器に供給され得る。なお、内弁４６及び押し出し棒５１は、定量吐出装置Ｘ側の制御部４の制御信号により、間欠的に作動し得る（内弁４６は回転、押し出し棒５１は往復動）。【００４７】
（１０）動力伝達手段６０側の動力接続部材７
図１４に動力伝達手段６０を構成する動力接続部材７の一例を示す。この動力接続部材７は、図２で示すように、支持台１の略中央部の上方に位置するように支持台の上面に直接又は間接的に固定された第１支持板６２を介して固定的に横設されている。【００４８】
しかして、図１４で示すように、動力接続部材７は、第１支持板６２の上面６２ａに固定された固定筒６３と、この固定筒６３に嵌挿されたガイド筒６４と、このガイド筒６４に内装された図示しない付勢バネにより横向き凹所状の係合部６６を有する係合端部６５ａが前記ガイド筒６４の先端面から常時突出するように付勢された接続軸６５と、この接続軸６５の前記ガイド筒６４の後端部から突出する後端部６５ｂに固定された従動歯車６７とを有し、前記従動歯車６７は動力伝達手段（駆動歯車）６０に噛合している。【００４９】
したがって、本実施例のホッパーＹは、一側壁に回転羽２１の軸端部に連設する連結軸３２を有する動力伝達手段１７を備え、一方、駆動部６側は、前記回転羽２１用の駆動モータ６１の駆動力を前記連結軸３２に伝える連結軸６５を有する動力接続手段７を備え、ホッパーＹの嵌着時、前記連結軸３２は前記動力接続手段７の接続軸６５の係合端部６５ａに係脱自在に係合する。【００５０】
（１１）動力伝達手段５５側の連結支持具８と伝動筒体９
連結支持具８は、バネ部材７０で常時所定方向に付勢された状態で駆動部６側の動力伝達手段５５を構成する駆動作動杆５５ａに横軸７１を介して片手式に軸支されている。【００５１】
しかして、該連結支持具８は、取付け用枢支板部の先端部に連設する垂直板部８ａと、該垂直板部８ａの前面に突出状態に連設する断面釣り針形状の係止部８ｂとから成る。付言すると、連結支持具８の係止部８ｂの上面に押し出し棒（従動作動杆）５１の後端部５３の係合部分５３ａが係脱する係合凹所７２が形成されている。また、連結支持具８を枢支する横軸７１は、取付け用枢支板部８ａの上端部に位置し、一方、連結支持具８を水平状態の位置へ付勢するバネ部材７０は、連結支持具の下部側に位置している。【００５２】
上記構成に於いて、ホッパーＹの押し出し棒５１を駆動部６側の連結支持具８に連結係合させる場合には、まず、ホッパーＹの固定外弁４０が支持台１の上向き凹所状の嵌合部２に嵌合するように該支持台１に載置する。次に、ホッパーＹを駆動部６側にスライドさせる。そうすると、押し出し棒５１は、連結支持具８の係止部８ｂのテーパー７３を押し込むことから、連結支持具８はバネ部材７０のバネ力に抗して横軸７１を支点に若干反時計方向に回転する。そして、押し出し棒５１の係合部分５３ａが係止部８ｂのテーパー７３を乗り越えると、図１７で示すように、前記係合部分５３ａは係止部８ｂの係合凹所７２に係合する。【００５３】
次に、ホッパーＹの長筒状内弁４６は、ホッパーＹを支持台１の嵌合部２にセットするとき、動力伝達手段５５側の伝動筒体９に連結する。【００５４】
図１５に伝動筒体９の一例を示しているが、この伝動筒体９も特許文献４（特開２００７−７５０５号公報）と同様に構成されている。したがって、詳細な説明を割愛するが、先端部に係合部を有する伝動筒体９は、支持台１の上面中央部に固定された第２支持板７５の前面に配設された弾発性部材７６により常にホッパーＹの内弁４６の後端部に係合する方向に付勢されている。
【実施例】
【００５５】
発明の実施の形態で示した一例に於いて、内弁４６及び押し出し棒５１は、固定外弁４０の後端部から取り外し可能に組み込まれている。この欄では、図１１及び図１２を参照にして、内弁４６等の取り外し構造を簡単に説明する。【００５６】
図１１及び図１２に於いて、８１は固定外弁４０の後端部に形成したメネジ、８２はメネジに螺合する固定手段（オネジ）、８３は前記固定手段８２が貫通する不番の貫通孔を有する環状の止めリングである。環状止めリング８３は、その後端面に内弁４６の後端部を止める環状のストッパー部分８３ａを有する。そして、前記固定外弁４０の後端部に外嵌合し、かつ固定手段８２を介して固定外弁４０に取り外し可能に固定される。【００５７】
したがって、各構成部材の洗浄の際に、まず、固定手段８２を外し、次に、環状止めリング８３を外し、次に、内弁４６を引き抜き、そして、内弁４６から押し出し棒５１を引き抜くと、定量手段を構成する各部材を簡単に分解することができる。【００５８】
また、発明の実施の形態で示した一例に於いて、半流動体も含む流動体には、ポテトサラダ、トマトケキャップ、マヨネーズ、スープ類、豆乳、アイスクリーム等の加工食品、塗料等の建築材料、ペースト状歯磨などの歯磨き、化粧用クリーム等の化粧材料が含まれる。もちろん、スープ類には具を入れても良い。
【産業上の利用可能性】
【００５９】
本発明は、主に本発明は、主にポンプ業界で製造され、例えばスープ類、を小分けしてお客に提供する食品サービス業の業界で利用される。
【図１】
2010032324.tif 000003
【図２】
2010032324.tif 000004
【図３】
2010032324.tif 000005
【図４】
2010032324.tif 000006
【図５】
2010032324.tif 000007
【図６】
2010032324.tif 000008
【図７】
2010032324.tif 000009
【図８】
2010032324.tif 000010
【図９】
2010032324.tif 000011
【図１０】
2010032324.tif 000012
【図１１】
2010032324.tif 000013
【図１２】
2010032324.tif 000014
【図１３】
2010032324.tif 000015
【図１４】
2010032324.tif 000016
【図１５】
2010032324.tif 000017
【図１６】
2010032324.tif 000018
【図１７】
2010032324.tif 000019
【国際調査報告】
2010032324.tif 000020
2010032324.tif 000021
2010032324.tif 000022